(57)【特許請求の範囲】
【請求項１】
筆の穂の形状を成形する製穂用具であって、
基部と，前記基部の上面から上方へ突出するとともに下方から上方に向かって縮径する正面視略逆Ｕ字状の成形部と，からなる駒と、
前記成形部を囲う略円筒状でその内径が前記成形部の最大径と略等しい筒体と、を備え、
前記成形部の周面の下方から上方に、外方から内方に向かって略水平又は下方に傾斜する複数の支持面を備えるとともに、前記複数の支持面は、それぞれ環状に一周するように形成されたことを特徴とする製穂用具。
【請求項２】
筆の穂の形状を成形する製穂用具であって、
基部と，前記基部の上面から上方へ突出するとともに下方から上方に向かって縮径する正面視略逆Ｕ字状の成形部と，からなる駒と、
前記成形部を囲う略円筒状でその内径が前記成形部の最大径と略等しい筒体と、を備え、
前記成形部の周面の下方から上方に、外方から内方に向かって略水平又は下方に傾斜する複数の支持面を備えるとともに、前記支持面は、螺旋状に繋げて形成されたことを特徴とする製穂用具。
【請求項３】
筆の穂の形状を成形する製穂用具であって、
基部と，前記基部の上面から上方へ突出し前記穂の形状である成形部と，からなる駒と、
前記成形部を前記穂の形状に囲う略円筒状でその内径が前記成形部の最大径と略等しい筒体と、を備え、
前記成形部の周面の下方から上方に、外方から内方に向かって略水平又は下方に傾斜する複数の支持面を備えるとともに、前記複数の支持面は、それぞれ環状に一周するように形成されたことを特徴とする製穂用具。
【請求項４】
筆の穂の形状を成形する製穂用具であって、
基部と，前記基部の上面から上方へ突出し前記穂の形状である成形部と，からなる駒と、
前記成形部を前記穂の形状に囲う略円筒状でその内径が前記成形部の最大径と略等しい筒体と、を備え、
前記成形部の周面の下方から上方に、外方から内方に向かって略水平又は下方に傾斜する複数の支持面を備えるとともに、前記支持面は、螺旋状に繋げて形成されたことを特徴とする製穂用具。
【発明の詳細な説明】
【技術分野】
【０００１】
本発明は、筆の穂の形状を成形する製穂用具に関するものである。
【背景技術】
【０００２】
特許文献１に示すような筆作りにおける各工程では、作業者の長年の経験や勘が必要であることが多いが、製造コストを低廉にするためには、経験が少ない作業者であっても治具や機械を使って一定の品質でしかも製造時間を短縮できるようにすることが大きな課題である。
【０００３】
ここで、図８に示すような製穂用具１００が開発され、筆の穂の形状を成形する製穂工程では熟練者でなくても一定の品質とし得るようになっている。
【先行技術文献】
【特許文献】
【０００４】
【特許文献１】特公平６−３０９８８号公報
【０００５】
図８に記載の製穂用具１００は、縦断面略Ｕ字状で横断面円形の成形部１２を有する製穂用具１００である。この成形部１２の形状は設計された筆の穂の形状になっている。
【０００６】
この製穂用具１００によると、この成形部１２に上方から筆毛Ｆの束を挿入して筆毛Ｆの自重によって縦断面略Ｕ字状の成形部１２に筆毛Ｆを沿わせることで、穂の形状を成形することができる。
よって、経験が豊富ではない作業者が製穂工程を行っても、穂の形状を一定の品質とすることが可能である。
【発明の概要】
【発明が解決しようとする課題】
【０００７】
しかしながら、この製穂用具１００を用いて製穂工程を行うときには、筆の穂の形状を確認しながら作業を行うことができないという問題がある。
つまり、筆毛Ｆが自重で落下して設計通りの穂の形状となったかどうかは、筆毛Ｆがバラバラにならないように筆毛Ｆの束をワイヤーで括った後に製穂用具１００から取り出さないと確認することができない。
【０００８】
仮に筆毛Ｆが落ち切っておらず製穂用具１００から取り出して確認した結果、穂の外形が凸凹であった場合には、ワイヤーを切って再び製穂作業を行わなければならないので、非常に時間の無駄が多くなってしまう。
【０００９】
他方、製穂用具１００に筆毛Ｆをセットした上で製穂用具１００に微小振動を加えて強制的に筆毛Ｆを落下させて成形部１２に沿わせる手法も知られているが、ワイヤーで括って筆毛Ｆの束を製穂用具１００から取り出さなければ穂の形状を確認できないということには変わりがない。
【００１０】
そこで、本発明の目的とするところは、熟練者でなくても短時間でより正確に穂の形状を成形することができる製穂用具を提供することにある。
【課題を解決するための手段】
【００１１】
上記の目的を達成するために、本発明の請求項１に記載の製穂用具（２００）は、筆先の形状を成形する製穂用具（２００）であって、基部（２１）と，前記基部（２１）の上面から上方へ突出するとともに下方から上方に向かって縮径する正面視略逆Ｕ字状の成形部（２２）と，からなる駒（２０）と、前記成形部（２２）を囲う略円筒状でその内径が前記成形部（２２）の最大径と略等しい筒体（３０）と、を備え、
前記成形部（２２）の周面の下方から上方に、外方から内方に向かって略水平又は下方に傾斜する複数の支持面（２２ａ）を備えるとともに、前記複数の支持面（２２ａ）は、それぞれ環状に一周するように形成されたことを特徴とする。
【００１２】
また、本発明の請求項２に記載の製穂用具（２００）は、筆先の形状を成形する製穂用具（２００）であって、基部（２１）と，前記基部（２１）の上面から上方へ突出するとともに下方から上方に向かって縮径する正面視略逆Ｕ字状の成形部（２２）と，からなる駒（２０）と、前記成形部（２２）を囲う略円筒状でその内径が前記成形部（２２）の最大径と略等しい筒体（３０）と、を備え、
前記成形部（２２）の周面の下方から上方に、外方から内方に向かって略水平又は下方に傾斜する複数の支持面（２２ａ）を備えるとともに、前記支持面（２２ａ）は、螺旋状に繋げて形成されたことを特徴とする。
【００１３】
また、本発明の請求項３に記載の製穂用具（２００）は、筆先の形状を成形する製穂用具（２００）であって、基部（２１）と，前記基部（２１）の上面から上方へ突出し前記筆先の形状である成形部（２２）と，からなる駒（２０）と、前記成形部（２２）を前記筆先の形状に囲う略円筒状でその内径が前記成形部（２２）の最大径と略等しい筒体（３０）と、を備え、
前記成形部（２２）の周面の下方から上方に、外方から内方に向かって略水平又は下方に傾斜する複数の支持面（２２ａ）を備えるとともに、前記複数の支持面（２２ａ）は、それぞれ環状に一周するように形成されたことを特徴とする。
【００１４】
また、本発明の請求項４に記載の製穂用具（２００）は、筆先の形状を成形する製穂用具（２００）であって、基部（２１）と，前記基部（２１）の上面から上方へ突出し前記筆先の形状である成形部（２２）と，からなる駒（２０）と、前記成形部（２２）を前記筆先の形状に囲う略円筒状でその内径が前記成形部（２２）の最大径と略等しい筒体（３０）と、を備え、
前記成形部（２２）の周面の下方から上方に、外方から内方に向かって略水平又は下方に傾斜する複数の支持面（２２ａ）を備えるとともに、前記支持面（２２ａ）は、螺旋状に繋げて形成されたことを特徴とする。
【００１６】
ここで、上記括弧内の記号は、図面および後述する発明を実施するための形態に掲載された対応要素または対応事項を示す。
【発明の効果】
【００１７】
本発明によれば、基部の上面から上方へ突出する駒を備えるので、上方から筆毛を製穂用具に挿入して筆毛の根元部分を成形部に沿わせることで、穂先（毛先）を見ながら製穂作業を行うことができる。
【００１８】
つまり、製穂用具から筆毛を取出すことなく、穂を目視しながらその形状を整えることができるので、熟練者でなくても正確に穂の形状を成形することが可能である。また、筆毛の落下（整列）が不十分な状態で筆毛の束をワイヤーで括ってしまうことを防げるので、結果的に短時間で穂を成形できる。
【００１９】
また、本発明によれば、成形部の周面に、外方から内方に向かって略水平又は下方に傾斜する複数の支持面を備えるので、筆毛が支持面に載ることで筆毛が成形部に沿って滑り落ちて外方に移動してしまうことを抑制可能である。特に、成形部における外側の部分の傾きは大きいので、何ら対策を施さないと筆毛が成形部から滑り落ちて外側に偏ってしまい、穂が設計したものよりも先細りになりがちであるが、支持面によってこの外側の部分の筆毛の外方への移動を抑制できる。
【００２０】
また、本発明によれば、複数の支持面は、それぞれ環状に一周するように形成されたので、駒の製造が容易で製造コストも低廉となる。
【００２１】
また、支持面を螺旋状に繋げて形成することもできる。
【００２２】
なお、本発明の製穂用具のように、基部の上面から上方へ突出する成形部を有する駒を備える点は、上述した特許文献１には全く記載されていない。
【図面の簡単な説明】
【００２３】
【図１】本発明の実施形態に係る製穂用具を示す拡大斜視図である。
【図２】図１に示す製穂用具における駒を示す平面図である。
【図３】図１に示す製穂用具における駒を示す正面図である。
【図４】図３に示す駒の各支持面を示す拡大正面図である。
【図５】図１に示す製穂用具における筒体を示す平面図である。
【図６】図１に示す製穂用具に筆毛を挿入した状態を示す斜視図である。
【図７】本発明の他の実施形態に掛かる製穂用具における駒の成形部を示す平面図である。
【図８】従来例に係る製穂用具を示す縦断面図である。
【発明を実施するための形態】
【００２４】
図１乃至図６を参照して、本発明の実施形態に係る製穂用具２００を説明する。
この製穂用具２００は、駒２０と、筒体３０と、を備え、筆（特に化粧筆）の穂の形状を成形するものである。
【００２５】
駒２０は、基部２１と成形部２２からなる。
基部２１は円盤状で、駒２０とは別体である。
成形部２２は、基部２１の上面から上方へ突出するとともに下方から上方に向かって縮径し、正面視略逆Ｕ字状である。また、平面視では図２に示すように円状であって、成形部２２は軸対称である。
【００２６】
そして、成形部２２の周面には支持面２２ａが複数形成されている。この複数の支持面２２ａはそれぞれが水平面であって、平面視で環状に一周するように成形部２２の周面（外殻）に形成される。
このとき、成形部２２が下方から上方に向かって縮径しているので、上方の支持面２２ａほど直径は小さくなっており、各支持面２２ａは階段状となっている。また、同じ直径の支持面２２ａは当然ながら存在しない。
【００２７】
支持面２２ａの幅（径方向の幅）は一本の筆毛Ｆの根元部分の径より広い必要があるが、この筆毛Ｆの径以上であれば筆の穂の外形を滑らかな曲線状とするためには極力狭いほうがよい。
なお、支持面２２ａの径方向の幅は狭いので、図１の斜視図は概略図とし、成形部２２の各支持面２２ａ間の段差の記載は省略している。また、段差数も図２や図３に比べて少なく記載している。また、図４は図３の一部を拡大したものである。
【００２８】
筒体３０は、図１及び図５に示すように、成形部２２を囲う略円筒状であって、筒体３０の内径は駒２０の成形部２２の最大径と略等しく、筒体３０の外径は駒２０の基部２１の外径と略等しい。
【００２９】
そして、筒体３０が成形部２２を囲ったとき、筒体３０の下面が駒２０の基部２１の上面に当接する。
また、筒体３０の高さは駒２０の成形部２２の高さよりも高い。
これらの駒２０と筒体３０の材質は特段限定されない。
【００３０】
このような製穂用具２００を用いて行う製穂工程について説明する。
まず、駒２０に対して筒体３０を被せて筒体３０によって駒２０の成形部２２を囲う。
そして、筒体３０の上方開口へ長さを揃えた筆毛Ｆの束を挿入する。
【００３１】
次に、微小振動可能な作業台によって筆毛Ｆの束が入った製穂用具２００に微小振動を加える。微小振動を加えている間、作業者は筆毛Ｆが製穂用具２００内で落下して整列したか否かを目視により確認する。
最後に、図６に示すように筆毛Ｆが整列し穂が設計された形状となったら、筆毛Ｆの筒体３０から露出した部分の下部をワイヤーで括って筆毛Ｆがバラバラにならないようにする。
【００３２】
以上のように構成された製穂用具２００によれば、基部２１の上面から上方へ突出する駒２０を備えるので、上方から筆毛Ｆを製穂用具２００に挿入して筆毛Ｆの根元部分を成形部２２に沿わせることで、穂先（毛先）を見ながら製穂作業を行うことができる。
つまり、製穂用具２００から筆毛Ｆを取出すことなく、穂を目視しながらその形状を整えることができるので、熟練者でなくても正確に穂の形状を成形することが可能である。また、筆毛Ｆの落下（整列）が不十分な状態で筆毛Ｆの束をワイヤーで括ってしまうことを防げるで、結果的に短時間で穂を成形できる。
【００３３】
また、成形部２２の周面に、水平の複数の支持面２２ａを備えるので、筆毛Ｆが支持面２２ａに載ることで筆毛Ｆが成形部２２に沿って滑り落ちて外方に移動してしまうことを抑制可能である。特に、成形部２２における外側の部分の傾きは大きいので、何ら対策を施さないと筆毛Ｆが成形部２２から滑り落ちて外側に偏ってしまい、設計したものよりも穂が先細りになりがちであるが、支持面２２ａによってこの外側の部分の筆毛Ｆの外方への移動を抑制できる。
【００３４】
さらに、複数の支持面２２ａは、それぞれ環状に一周するように形成されたので、駒２０の製造が容易で製造コストも低廉となる。
【００３５】
なお、本実施形態において、成形部２２や筒体３０の内側を平面視で円形としたが、これに限られるものではなく、設計された他の形状としてもよい。例えば、図７に示すように成形部２２をハート型に上方へ突出する形状とすることができる。このときの筒体３０の内側も同様にハート型とする必要がある。なお、図７においては基部２１の記載を省略した。
【００３６】
また、成形部２２の支持面２２ａは水平であるとしたが、これに限られるものではなく、製穂用具２００に微小振動を加えた際に筆毛Ｆが外方へ滑り落ちないのであれば傾いていてもよい。例えば、支持面２２ａを外方から内方に向かって下方に傾斜させていてもよい。
【００３７】
また、支持面２２ａを環状に一周するように形成したが、螺旋状に繋がっていてもよい。さらにこれらに限られるものではなく、それぞれの筆毛Ｆが載るスペースがあれば、支持面２２ａはどのように形成されていてもよい。穂の外形が滑らかな曲線状となるためには、各支持面２２ａの面積は狭いほうがよい。
【００３８】
加えて、駒２０と筒体３０は別体であるとしたが、これに限られるものではなく一体であってもよい。
また、駒２０の基部２１は円盤状であるとしたが、形状は限定されるものではない。
【符号の説明】
【００３９】
１２      成形部
２０      駒
２１      基部
２２      成形部
２２ａ    支持面
３０      筒体
１００      製穂用具
２００      製穂用具
Ｆ      筆毛
【図１】
0006339533.tif 000002
【図２】
0006339533.tif 000003
【図３】
0006339533.tif 000004
【図４】
0006339533.tif 000005
【図５】
0006339533.tif 000006
【図６】
0006339533.tif 000007
【図７】
0006339533.tif 000008
【図８】
0006339533.tif 000009